(57)【要約】【課題】高精度の判別性能を持ち、検出時間を短くすることができ、ファーストプリントアウト時間の短縮ができる記録媒体判別装置を提供する。【解決手段】記録媒体１０４に光を照射する反射用ＬＥＤ１０１と、反射用ＬＥＤ１０１によって照射された記録媒体１０４の光照射領域内を、画像として読み取り出力する画像読取手段１０２と、画像読取手段１０２によって得られた画像を記憶する記憶手段１０８と、記憶手段１０８によって記憶した画像を行毎に解析する解析手段１０９とを備え、解析手段１０９は、一画素における光量出力値が、前記行内の隣接する画素の光量出力値に対して増加から減少、もしくは減少から増加に転じたときの、画素間の光量出力値の差分の絶対値を算出し全画素について積算し、前記積算した値と予め設定された閾値とに基づき記録媒体１０４の種類を判別する構成とする。【選択図】図１
2008164459.tif 000002
【特許請求の範囲】
【請求項１】
記録媒体に光を照射する光照射手段と、
前記光照射手段によって照射された前記記録媒体の光照射領域内を、画像として読み取り出力する画像読取手段と、
前記画像読取手段によって得られた画像を記憶する記憶手段と、
前記記憶手段によって記憶した画像を行毎に解析する解析手段とを備え、
前記解析手段は、一画素における光量出力値が、前記行内の隣接する画素の光量出力値に対して増加から減少、もしくは減少から増加に転じたときの、画素間の光量出力値の差分の絶対値を算出し全画素について積算し、前記積算した値と予め設定された閾値とに基づき前記記録媒体の種類を判別することを特徴とする記録媒体判別装置。
【請求項２】
請求項１に記載の記録媒体判別装置において、
前記光照射手段は、前記記録媒体表面上に光を照射する第一の光照射手段乃至、前記記録媒体を透過する光を照射する第二の光照射手段のいずれか一方を有し、
前記画像読取手段は、前記第一乃至前記第二の光照射手段のいずれか一方によって照射された前記記録媒体の光照射領域内を、画像として読み取り出力することを特徴とする記録媒体判別装置。
【請求項３】
請求項１に記載の記録媒体判別装置において、
前記光照射手段は、前記記録媒体表面上に光を照射する第一の光照射手段と、前記記録媒体を透過する光を照射する第二の光照射手段とを有し、
前記画像読取手段は、前記第一の光照射手段と前記第二の光照射手段を順に照射し、前記第一及び前記第二の光照射手段によって照射された前記記録媒体の光照射領域内を、画像として読み取り出力することを特徴とする記録媒体判別装置。
【請求項４】
請求項１乃至３のいずれかに記載の記録媒体判別装置において、
前記画像読取手段は、複数の画素を有し各画素のアナログ信号を出力するＣＣＤセンサあるいはＣＭＯＳエリアセンサであることを特徴とする記録媒体判別装置。
【発明の詳細な説明】
【技術分野】
【０００１】
本発明は、記録媒体判別装置に関し、特に記録媒体の表面性または光透過性を検知して記録媒体の種類を判別する記録媒体判別装置に関するものである。
【背景技術】
【０００２】
複写機、レーザープリンタ等の画像形成装置は、潜像を担持する潜像担持体と、該潜像担持体に現像剤を付与することにより前記潜像を現像剤像として可視化する現像装置とを備える。また、所定方向に搬送される記録媒体に該現像装置による該現像剤像を転写する転写手段を備える。さらに、該転写手段によって前記現像剤像の転写を受けた前記記録媒体を所定の定着処理条件にて加熱及び加圧することにより前記現像剤像を前記記録媒体に定着させる定着装置を備えている。
【０００３】
従来、かかる画像形成装置においては、例えば、画像形成装置本体に設けられた操作パネル等に記録媒体のサイズや種類（以下、紙種ともいう）がユーザによって設定される。そして、その設定に応じて定着処理条件（例えば、定着温度や定着装置を通過する記録媒体の搬送速度）を設定するよう制御する。
【０００４】
あるいは、画像形成装置内部に記録媒体を判別するセンサを用いて、例えば、特許文献１において提案されているように記録媒体の表面画像をＣＭＯＳセンサによって撮像する。そして、記録媒体の表面画像を読み取った読取結果から、グロス紙、普通紙、ラフ紙、ＯＨＴといった記録媒体の種類を判別し、印字濃度、転写バイアスの設定、定着温度、プロセス速度などの画像形成条件を最適に設定する方法が知られている。
【０００５】
これらの場合に用いるＣＣＤセンサやＣＭＯＳセンサなどの行センサやエリアセンサの撮像素子とレンズを用いた構成においては、次のような装置が知られている。すなわち、撮影対象物より反射する光を、結像レンズ等を介してセンサ等の撮像素子に入射させ、撮像素子から出力される信号をＡ／Ｄ変換することで、撮影対象物の画像データを得る映像読み取り装置が知られている。
【０００６】
実際に判別する際は、例えば特許文献２において読み取った画像データより、記録媒体表面の凹凸の深さを演算する。具体的には得られた画像における行毎の最大光量値と最小光量値の差分であるＰｅａｋ−ｔｏ−Ｐｅａｋ値を求める。そのようにして求めたＰｅａｋ−ｔｏ−Ｐｅａｋ値を所定の複数の閾値によりグロス紙、普通紙、ラフ紙、ＯＨＴを判別する方法がある。
【特許文献１】特開２００２−１８２５１８号公報
【特許文献２】特開２００３−３０２２０８号公報
【発明の開示】
【発明が解決しようとする課題】
【０００７】
しかしながら、上述の従来の記録媒体判別装置では、次のような課題がある。
【０００８】
センサに用いる光源やレンズの光透過率ばらつきによる光量ばらつきが大きい場合、同じ種類の記録媒体を撮影した画像より求めたＰｅａｋ−ｔｏ−Ｐｅａｋ値にばらつきが生じる。また撮像素子の各光電変換セルにおける感度ばらつきによっても、Ｐｅａｋ−ｔｏ−Ｐｅａｋ値のばらつきはより大きくなる。その結果判別精度の低下を招く要因となっていた。そのため判別精度を確保するためには、光源であるＬＥＤの光量のばらつきや、レンズの光透過率のばらつき、及びセル感度のばらつきを抑える必要があり、結果としてコストの高い記録媒体判別装置となっていた。
【０００９】
さらに光源の照射領域内における光量ムラによっては、Ｐｅａｋ−ｔｏ−Ｐｅａｋ値が大きく変わってしまい判別ができなくなってしまう場合もある。そこで光源の光量ムラを無くすために、あらかじめ記録媒体を動かしながら表面画像を複数回撮影し、その撮影した画像の撮影領域内における全画素の光量出力値の平均値と、各画素の光量出力値との差分値を求める。そして判別する際は、記録媒体の表面画像内の対応する各画素の光量出力値に先程求めた差分値を足すという補正（以下、これをシェーディング補正とする）が必要となる。その結果検出時間が長くなってしまい、ファーストプリントアウト時間が長くなるという課題もあった。
【００１０】
本発明は、以上の点に着目して成されたものであり、安価な構成とすることができ、シェーディング補正を行わずとも判別精度を確保でき、検出時間を短くすることができる記録媒体判別装置を提供することを目的とする。
【課題を解決するための手段】
【００１１】
本発明は、記録媒体判別装置において、上述した課題を解決することを目的としてなされたもので、係る目的を達成する一手段として以下の構成を備える。
【００１２】
（１）記録媒体に光を照射する光照射手段と、前記光照射手段によって照射された前記記録媒体の光照射領域内を、画像として読み取り出力する画像読取手段と、前記画像読取手段によって得られた画像を記憶する記憶手段と、前記記憶手段によって記憶した画像を行毎に解析する解析手段とを備え、前記解析手段は、一画素における光量出力値が、前記行内の隣接する画素の光量出力値に対して増加から減少、もしくは減少から増加に転じたときの、画素間の光量出力値の差分の絶対値を算出し全画素について積算し、前記積算した値と予め設定された閾値とに基づき前記記録媒体の種類を判別することを特徴とする記録媒体判別装置。
【００１３】
（２）前記（１）に記載の記録媒体判別装置において、前記光照射手段は、前記記録媒体表面上に光を照射する第一の光照射手段乃至、前記記録媒体を透過する光を照射する第二の光照射手段のいずれか一方を有し、前記画像読取手段は、前記第一乃至前記第二の光照射手段のいずれか一方によって照射された前記記録媒体の光照射領域内を、画像として読み取り出力することを特徴とする記録媒体判別装置。
【００１４】
（３）前記（１）に記載の記録媒体判別装置において、前記光照射手段は、前記記録媒体表面上に光を照射する第一の光照射手段と、前記記録媒体を透過する光を照射する第二の光照射手段とを有し、前記画像読取手段は、前記第一の光照射手段と前記第二の光照射手段を順に照射し、前記第一及び前記第二の光照射手段によって照射された前記記録媒体の光照射領域内を、画像として読み取り出力することを特徴とする記録媒体判別装置。
【００１５】
（４）前記（１）乃至（３）のいずれかに記載の記録媒体判別装置において、前記画像読取手段は、複数の画素を有し各画素のアナログ信号を出力するＣＣＤセンサあるいはＣＭＯＳエリアセンサであることを特徴とする記録媒体判別装置
【発明の効果】
【００１６】
本発明によれば、光照射手段の光量ばらつきや、画像読取手段の感度ばらつきの影響を受けにくいため、光源であるＬＥＤの光量のばらつきや、セル感度のばらつきを抑える必要がなくなり、安価な構成とすることが可能となる。これは、画像読取手段より得られた記録媒体の凹凸情報を含む画像の、一行内における光量出力値の変化度合い（増加から減少、もしくは減少から増加に転じたときの、画素間の光量出力値の差分等）に着目してそれをモニターすることによる。そして、その違いを比較することで記録媒体の種類を判別できる。
【００１７】
さらに画素間における記録媒体表面の凹凸による光量出力値の変化幅が、光照射手段の照射領域内における光量ムラによる変化幅に比べて十分大きいため、記録媒体表面の凹凸による光量出力値の変化は光量ムラの影響を受けにくい。そのため光量ムラを無くすためのシェーディング補正を行わずとも判別精度を確保できるため、検出時間を短くすることが可能となり、ファーストプリントアウト時間の短縮を可能とする。
【発明を実施するための最良の形態】
【００１８】
以下本発明を実施するための最良の形態を、実施例により詳しく説明する。
【実施例１】
【００１９】
図１は本実施例における、記録媒体の種類を判別する際の記録媒体判別装置の概略構成断面図である。
【００２０】
撮像手段１００は、図１に示すように記録媒体１０４の表面を照射する光照射手段である反射用ＬＥＤ１０１と、反射用ＬＥＤ１０１の照射領域を画像として読み取る画像読取手段１０２とを備えている。ここで、反射用ＬＥＤ１０１は第一の光照射手段である。また、撮像手段１００は、画像読取手段１０２に結像させるための結像レンズ１０３と、画像読取手段１０２の出力から画像を記憶する記憶手段１０８と、記憶手段１０８で記憶した画像を行毎に解析する解析手段１０９とを備えている。
【００２１】
反射用ＬＥＤ１０１より発せられた光は、記録媒体１０４の表面にある一定の角度を持って照射される。そして記録媒体１０４の表面で反射した光は、結像レンズ１０３を介し集光されて画像読取手段１０２に結像される。このようにして記録媒体１０４の表面画像を読み取る。
【００２２】
なお反射用ＬＥＤ１０１の検出する時の光量は、検出する毎の光量が一定になるように発光制御部１０００によって制御されている。
【００２３】
図２は撮像手段１００の内部にある画像読取手段１０２によって読み取られる記録媒体１０４の表面と画像読取手段１０２からの出力の一部を８×８ピクセルにデジタル処理した例との関係を示す図である。デジタル処理は、画像読取手段１０２からのアナログ出力を変換手段たるＡ／Ｄ変換によって例えば８ビットのピクセルデータに変換することによって行われる。
【００２４】
図２において１１０は、紙の表面性において比較的粗く紙の繊維による凹凸が判別しやすいいわゆるラフ紙の表面拡大画像である。１１１は、一般のオフィスで普通に使用されるいわゆる普通紙の表面拡大画像であり、１１２は、紙の繊維の圧縮が十分になされている光沢紙（以下グロス紙と呼ぶ）の表面拡大画像である。
【００２５】
画像読取手段１０２に読み込まれたこれらの画像１１０，１１１，１１２が、デジタル処理されそれぞれ図２に示す画像１１３，１１４，１１５となる。
【００２６】
このように、記録媒体１０４の種類によって表面の画像は異なる。これは、主に紙の表面における繊維の状態が異なるために起こる現象である。
【００２７】
上述のように、画像読取手段１０２で読み込んだ記録媒体１０４の表面画像をデジタル処理することで、記録媒体１０４の判別を行う。図３のようにα×βの領域を画像読取手段１０２で読み込んだ表面画像をデジタル処理し画素毎の光量出力値を求め、記憶手段１０８に記憶する。そして記憶手段１０８で記憶した光量出力値より、解析手段１０９にて行毎の光量出力値が変化する様子について解析する。
【００２８】
解析手段１０９による実際の解析方法については以下に示す。
【００２９】
図４はα×βの領域内であるｍ行目（１≦ｍ≦β）における光量出力値の一例を示している。横軸は画素位置を、縦軸は光量出力値をそれぞれ示している。図４で示される各画素における光量出力値を・・・，ｙｎ−２，ｍ，ｙｎ−１，ｍ，ｙｎ，ｍ，ｙｎ＋１，ｍ，ｙｎ＋２，ｍ，・・・とする（３≦ｎ≦α−２）。そしてこの行におけるｎ個目の画素の光量出力値ｙｎ，ｍとｎ＋１個目の画素の光量出力値ｙｎ＋１，ｍの差分値ａｎ，ｍを計算する。また差分値ａｎ，ｍの符号ｂｎ，ｍも求める。
【００３０】
【数１】
2008164459.tif 000003
【００３１】
上記の計算式より求めたａｎ，ｍ，ｂｎ，ｍより、この行においてｎ個目の画素とｎ−１個目の画素との差分絶対値ｃｎ，ｍを求める。
【００３２】
【数２】
2008164459.tif 000004
【００３３】
こうして算出した差分絶対値ｃｎ，ｍを、画像読取手段で読み取ったα×βの領域において積分することで差分積分値ｓを求める。
【００３４】
【数３】
2008164459.tif 000005
【００３５】
例えば記録媒体表面の反射光量出力値が、表１のデータとなった場合について説明する。
【００３６】
【表１】
2008164459.tif 000006
【００３７】
このデータに対して差分値ａｎ，ｍ，符号ｂｎ，ｍ，差分絶対値ｃｎ，ｍを今まで説明した方法で計算すると、表２の結果となる。表２の結果より、この記録媒体の検出エリアにおける差分積分値ｓは「３４」となる。
【００３８】
【表２】
2008164459.tif 000007
【００３９】
上記の差分積分値ｓの値が、紙種によって違うことから、この違いによって記録媒体を判別することになる。
【００４０】
表３は本実施例における構成の記録媒体判別装置を用いて、４種類の普通紙、２種類のグロス紙、グロスフィルム各１種類のシェーディング補正を行っていない生画像における差分積分値ｓの計算結果を各紙種１６個分のデータを一覧にしたものである。なおこのとき、画像読取手段として０．６４ｍｍ四方のＣＭＯＳエリアセンサを用いており、１／２縮小系のレンズにより、記録媒体上の１．２８ｍｍ四方のエリアを検出している。またＣＭＯＳエリアセンサは一画素当たり０．０１ｍｍ四方のサイズとなっており、６４×６４の全４０９６画素分の光量出力値より差分積分値ｓを算出した。
【００４１】
【表３】
2008164459.tif 000008
【００４２】
そして図５は表３のデータを、横軸に差分積分値ｓ、縦軸にデータ数をそれぞれプロットしたグラフになる。例えば、普通紙〔１〕では、１５０００〜１６０００の範囲に差分積分値ｓがあるデータ数は１個、１６０００〜１７０００の範囲では６個、１７０００〜１８０００の範囲では８個、１８０００〜１９０００の範囲では１個となる。一方、グロス紙〔２〕では、８０００〜９０００の範囲に差分積分値ｓがあるデータ数は全データ数の１６個となっている。また、グロスフィルムでは、５０００〜６０００の範囲に差分積分値ｓがあるデータ数は１４個、６０００〜７０００の範囲では２個となっている。
【００４３】
以上より、本構成においては、差分積分値ｓが普通紙は１１０００〜２２０００、グロス紙は８０００〜１０７００、グロスフィルムは５７００〜６３００を示している。そこで図５内に示しているように、判別する際の閾値ｐ１を１０７００〜１０８００の間で、ｐ２を６５００〜７８００の間で設定することで、普通紙、グロス紙、グロスフィルムを判別することができる。
【００４４】
このように判別が可能となる理由として、普通紙、グロス紙、グロスフィルムの順番に紙の表面性の変化が細かくなる。そのため表面性の変化が大きい普通紙は、増加から減少、減少から増加に転じた際の差分の絶対値が大きくかつ、増加から減少、減少から増加に転じる回数も多いため、その結果として差分積分値ｓの値は高くなる。逆に表面性の変化が小さいグロスフィルムでは、増加から減少、減少から増加に転じた際の差分の絶対値が小さくかつ、増加から減少、減少から増加に転じる回数も少ないため、差分積分値ｓの値は小さくなる。そのため閾値ｐ１、ｐ２を設定することで、各々の紙種を判別することができる。すなわち、差分積分値ｓが閾値ｐ１以上であれば普通紙と判別する。また、差分積分値ｓが閾値ｐ２以上ｐ１未満であればグロス紙と判別する。また、差分積分値ｓがｐ２未満であればグロスフィルムと判別する。
【００４５】
以上説明したように本実施例によれば、記録媒体の表面に光を照射する光照射手段であるＬＥＤと、前記光照射手段によって照射された記録媒体の光照射領域内を、画像として読み取り出力する画像読取手段であるＣＭＯＳエリアセンサとを備える構成とする。かつ、前記画像読取手段によって得られた画像を記憶できる記憶手段と、前記記憶手段によって記憶した画像を行毎に解析する解析手段を備える構成とする。そして、前記解析手段によって画像を解析する際に、一画素における光量出力値が、隣接する画素の光量出力値に対して、増加から減少、もしくは減少から増加に転じたときの、画素間の光量出力値の差分の絶対値を算出し全画素について積算する。そして積算した値を複数の閾値によって記録媒体の種類を判別することで、光源であるＬＥＤの光量のばらつきや、セル感度のばらつきを抑える必要がなくなり、安価な構成を実現することができる。さらにシェーディング補正を行わずとも判別が可能なため、検出時間を短縮することが可能となる。なお、画像読取手段としては、ＣＣＤセンサを用いてもよい。
【実施例２】
【００４６】
図６は本実施例における、記録媒体の種類を判別する際の記録媒体判別装置の概略構成断面図となっている。
【００４７】
本発明の実施例２として、記録媒体２０４への光源となる光照射手段である透過用ＬＥＤ２０７を、画像読取手段２０２に対して記録媒体２０４と反対側へ配置し、透過用ＬＥＤ２０７の透過光を検出した。ここで、透過用ＬＥＤ２０７は第二の光照射手段である。
【００４８】
そして画像読取手段２０２からの画像を、解析手段２０９によって解析する際の実際の解析方法については以下に示す。なお、２０３は画像読取手段２０２に結像させるための結像レンズ、２０８は画像読取手段２０２の出力から画像を記憶する記憶手段、２０００は透過用ＬＥＤ２０７の光量を一定になるように制御する発光制御部である。本実施例において、撮像手段２００は、画像読取手段２０２、結像レンズ２０３、記憶手段２０８、解析手段２０９を備える。
【００４９】
実施例１と同様の方法で、記録媒体２０４の透過画像より差分積分値ｓ’を求める。
【００５０】
表４に記録媒体の透過光量出力値の一例を示す。このデータに対して差分値ａｎ，ｍ、符号ｂｎ，ｍ、差分絶対値ｃｎ，ｍを実施例１と同様の方法で計算すると、表５の結果となる。表５の結果より、この記録媒体の検出エリアにおける差分積分値ｓ’は「７５」となる。
【００５１】
【表４】
2008164459.tif 000009
【００５２】
【表５】
2008164459.tif 000010
【００５３】
上記の差分積分値ｓ’の値が、紙種によって違うことから、この違いによって記録媒体を判別することになる。
【００５４】
表６は本実施例における構成の記録媒体判別装置を用いて、３種類の普通紙、厚紙１種類のシェーディング補正を行っていない生画像における差分積分値ｓ’の計算結果を、各紙種１６個分のデータを一覧にしたものになる。なおこの時、画像読取手段２０２として０．６４ｍｍ四方のＣＭＯＳエリアセンサを用いており、１／２縮小系のレンズにより、記録媒体上の１．２８ｍｍ四方のエリアを検出している。またＣＭＯＳエリアセンサは一画素当たり０．０１ｍｍ四方のサイズとなっており、６４×６４の全４０９６画素分の光量出力値より差分積分値ｓ’を算出した。
【００５５】
【表６】
2008164459.tif 000011
【００５６】
そして図７は表６のデータを、横軸に差分積分値ｓ’を、縦軸にデータ数をそれぞれプロットしたグラフになる。
【００５７】
本構成においては、差分積分値ｓ’が普通紙は９３００〜１２１００、厚紙は８２００〜８９００を示している。そこで図７内に示しているように、判別する際の閾値ｑ１を８９００〜９３００の間で設定することで、普通紙と厚紙の判別精度を向上させることができる。
【００５８】
判別精度が向上する理由として、普通紙に比べて厚紙の厚みが均一である。そのため紙の厚みが均一でない普通紙は、増加から減少、減少から増加に転じた際の差分値が大きくなり、その結果差分積分値ｓ’の値は高くなる。逆に厚みが均一である厚紙では、増加から減少、減少から増加に転じた際の差分値が小さいため、差分積分値ｓ’の値は小さくなる。そのため上述のように閾値ｑ１を設定することで、各々の紙種を判別することができる。すなわち、差分積分値ｓ’が閾値ｑ１以上であれば普通紙と判別し、閾値ｑ１未満であれば厚紙と判別する。
【００５９】
以上説明したように本実施例によれば、記録媒体を透過させる光を照射する光照射手段であるＬＥＤと、前記光照射手段によって照射された記録媒体の光照射領域内を、画像として読み取り出力する画像読取手段であるＣＭＯＳエリアセンサとを備える。かつ、前記画像読取手段によって得られた画像を記憶できる記憶手段と、前記記憶手段によって記憶した画像を行毎に解析する解析手段を備える。そして、前記解析手段によって解析する際に、一画素における光量出力値が所定方向に隣接する画素に対して、増加から減少、もしくは減少から増加に転じたときの、画素間の光量出力値の差分の絶対値を算出し全画素について積算する。そして積算した値を所望の閾値によって記録媒体の種類を判別することで、光源であるＬＥＤの光量のばらつきや、セル感度のばらつきを抑える必要がなくなり、安価な構成を実現することができる。さらにシェーディング補正を行わずとも判別が可能なため、検出時間を短縮することが可能となる。なお、画像読取手段としては、ＣＣＤセンサを用いてもよい。
【実施例３】
【００６０】
図８は本実施例における、記録媒体の種類を判別する際の記録媒体判別装置の概略構成断面図である。
【００６１】
実施例１、２と異なるのは、記録媒体３０４への光源となる光照射手段である一つ目の反射用ＬＥＤ３０１（第一の光照射手段）を記録媒体３０４の表面から光を照射するように配置する。また、二つ目の透過用ＬＥＤ３０７（第二の光照射手段）を記録媒体３０４の裏面から光を照射するように配置する。そして反射用ＬＥＤ３０１による照射領域の反射画像と透過用ＬＥＤ３０７による照射領域の透過画像を、画像読取手段３０２で画像として読み取る点である。そして画像読取手段３０２からの画像を、解析手段３０９によって解析する。なお、３０３は画像読取手段３０２に結像させるための結像レンズ、３０８は画像読取手段３０２の出力から画像を記憶する記憶手段、３０００は反射用ＬＥＤ３０１及び透過用ＬＥＤ３０７の光量を一定になるように制御する発光制御部である。本実施例において、撮像手段３００は、反射用ＬＥＤ３０１、画像読取手段３０２、結像レンズ３０３、記憶手段３０８、解析手段３０９を備える。
【００６２】
本実施例における記録媒体を判別する方法については、図９に示すようなフローチャートを用い説明する。
【００６３】
まず反射用ＬＥＤ３０１を点灯させる（ステップＳ４０１、以下、単にＳ４０１等とする）。そして記録媒体３０４の表面画像を撮影する（Ｓ４０２）。撮影した表面画像より、実施例１の方法と同様に、表面画像に対する差分積分値ｓを算出する（Ｓ４０３）。
【００６４】
次に反射画像を取得した場所と同様の位置で、記録媒体３０４の透過画像を取得するために、透過用ＬＥＤ３０７を点灯する（Ｓ４０４）。そして記録媒体３０４の透過画像を撮影する（Ｓ４０５）。撮影した透過画像より、実施例２の方法と同様に、透過画像に対する差分積分値ｓ’を算出する（Ｓ４０６）。
【００６５】
このようにして求めた反射画像に対する差分積分値ｓ、および透過画像に対する差分積分値ｓ’を予め設定した閾値ｐ１、ｐ２、ｑ１と比較することで紙種を判別する（Ｓ４０７〜Ｓ４１３）。なお、閾値ｐ１、ｐ２、ｑ１は実施例１及び実施例２に記載の方法により設定する。
【００６６】
まず反射画像に対する差分積分値ｓと閾値ｐ２を比較し（Ｓ４０７）、ｓ＜ｐ２であれば記録媒体３０４をグロスフィルムと判別する（Ｓ４０８）。そしてｓ≧ｐ２の時は差分積分値ｓとｐ１を比較する（Ｓ４０９）。ｓ＜ｐ１であれば記録媒体３０４をグロス紙と判別する（Ｓ４１０）。そしてｓ≧ｐ１の時は差分積分値ｓ’とｑ１を比較する（Ｓ４１１）。ｓ’＜ｑ１であれば記録媒体３０４を厚紙と判別する（Ｓ４１２）。ｓ’≧ｑ１であれば普通紙と判別される（Ｓ４１３）。
【００６７】
以上説明したように本実施例によれば、記録媒体の表面に光を照射する第一の光照射手段であるＬＥＤと、記録媒体の裏面より光を照射する第二の光照射手段であるＬＥＤを両方備える構成である。かつ、第一の光照射手段と第二の光照射手段を交互に照射し、照射された記録媒体の光照射領域内を、画像として読み取り出力する画像読取手段であるＣＭＯＳエリアセンサと、前記画像読取手段によって得られた画像を記憶できる記憶手段を備える。前記記憶手段によって記憶した表面画像と透過画像を行毎に解析する際に、一画素における光量出力値が所定方向に隣接する画素に対して、増加から減少、もしくは減少から増加に転じたときの、画素間の光量出力値の差分の絶対値を算出し全画素について積算する。そして反射画像と透過画像それぞれの積算した値を複数の閾値によって記録媒体の種類を判別する。これにより、それぞれ単独の画像で記録媒体を判別していた時に比べて、より細かく記録媒体の種類を判別することができ、さらに光源であるＬＥＤの光量のばらつきや、セル感度のばらつきを抑える必要がなくなり、安価な構成を実現することができる。またシェーディング補正を行わずとも判別が可能なため、検出時間を短縮することが可能となる。なお、画像読取手段としては、ＣＣＤセンサを用いてもよい。
【図面の簡単な説明】
【００６８】
【図１】実施例１における記録媒体判別装置の概略構成を示す模式断面図
【図２】実施例１における記録媒体判別装置による記録媒体検出結果を示す図
【図３】実施例１における画像読取手段の読み込む領域の説明図
【図４】実施例１におけるｍ行内での光量出力値の変化の様子を示す図
【図５】実施例１における記録媒体判別結果を示す図
【図６】実施例２における記録媒体判別装置の概略構成を示す模式断面図
【図７】実施例２における記録媒体判別結果を示す図
【図８】実施例３における記録媒体判別装置の概略構成を示す模式断面図
【図９】実施例３における記録媒体の判別におけるフローチャート
【符号の説明】
【００６９】
１００，２００，３００          撮像手段
１０１，３０１                  反射用ＬＥＤ（第一の光照射手段に相当）
１０２，２０２，３０２          画像読取手段
１０３，２０３，３０３          結像レンズ
１０４，２０４，３０４          記録媒体
１０８，２０８，３０８          記憶手段
１０９，２０９，３０９          解析手段
２０７，３０７                  透過用ＬＥＤ（第二の光照射手段に相当）
１０００，２０００，３０００    発光制御部
【図１】
2008164459.tif 000012
【図３】
2008164459.tif 000013
【図４】
2008164459.tif 000014
【図５】
2008164459.tif 000015
【図６】
2008164459.tif 000016
【図７】
2008164459.tif 000017
【図８】
2008164459.tif 000018
【図９】
2008164459.tif 000019
【図２】
2008164459.tif 000020